(57)【要約】      （修正有）【課題】電線接続部に注入した液剤が端子接続部内に侵入するのを防止する。【解決手段】端子金具Ｔａは、前方から相手側端子が挿入される角筒状の端子接続部１０と、オープンバレル状の電線接続部１１と、基板部２５の両側縁から一対の側板部２６を立ち上げ、端子接続部１０の後端部と電線接続部１１の前端部に連なる連結部１２とを備える。電線接続部１１には電線２２の芯線２３が接続され、電線接続部１１と芯線２３に液剤が注入される。連結部１２内の規制壁部２７は、端子接続部１０から延出した延出部を曲げ加工して形成され、外周縁を基板部２５と側板部２６の内面に当接させることで液剤が電線接続部１１側から端子接続部１０側へ侵入するのを規制する。【選択図】図３
2011049033.tif 000002
【特許請求の範囲】
【請求項１】
前方から相手側端子が挿入される角筒状の端子接続部と、
オープンバレル状をなす電線接続部と、
基板部の両側縁から一対の側板部を立ち上げた形態であって、前記端子接続部の後端部と前記電線接続部の前端部とに連なる連結部とを備え、
前記電線接続部には電線の芯線が接続され、
前記電線接続部と前記芯線に液剤が注入されるようになっている雌形の端子金具において、
前記端子接続部と前記連結部のうち少なくとも一方から延出した延出部を曲げ加工することにより前記連結部内に収容されるように形成され、外周縁を前記基板部と前記側板部の内面に当接させることで前記液剤が前記電線接続部側から前記端子接続部側へ侵入するのを規制する規制壁部を有していることを特徴とする端子金具。
【請求項２】
前記規制壁部が、前記側板部に対して略直角な板状をなしていることを特徴とする請求項１記載の端子金具。
【請求項３】
前記端子接続部は、
前記基板部に連なる底面壁と、
前記底面壁の側縁から立ち上がるとともに前記側板部に連なる一対の側面壁と、
前記側面壁の立ち上がり端縁から前記底面壁と略平行に延出した上面壁とを備えて構成されており、
前記規制壁部は、前記上面壁の後端縁から延出した前記延出部を、前記後端縁において前記基板部側へ曲げ加工して形成されていることを特徴とする請求項１又は請求項２記載の端子金具。
【請求項４】
前記延出部は、前記側板部の立ち上がり端縁に連なる第１板部と、前記第１板部から延出した形態の第２板部とを備え、前記立ち上がり端縁において曲げ加工されているとともに、前記第１板部と前記第２板部との境界において曲げ加工されており、
前記第１板部によって、前記連結部の内面に重なった形態の補強部が形成され、
前記第２板部によって前記規制壁部が形成されていることを特徴とする請求項１又は請求項２に記載の端子金具。
【請求項５】
前記規制壁部が、前記一対の側板部の間に圧入されていることを特徴とする請求項１ないし請求項４のいずれか１項に記載の端子金具。
【発明の詳細な説明】
【技術分野】
【０００１】
本発明は、端子金具に関するものである。
【背景技術】
【０００２】
特許文献１には、角筒状をなす端子接続部と、オープンバレル状をなす電線接続部と、端子接続部の後端部と電線接続部の前端部とを接続する連結部とを備え、電線接続部に異種金属からなる電線の芯線が接続されるようになっている雌形の端子金具が開示されている。
【０００３】
このように異種金属からなる電線と端子金具を接続する場合、電線と電線接続部との接触部分における電食の発生を防止する必要がある。電食防止手段の１つとして、電線の芯線を構成する素線の隙間、及び芯線と電線接続部との接触部分に防食剤を注入する方法が考えられる。
【０００４】
この場合に用いられる防食剤としては、高温では粘度が低く、常温では粘度が高くなる性質のものが用いられる。注入作業の際には、防食剤を高温状態にして流動性を高めることにより、防食剤を、素線の隙間及び芯線と電線接続部との隙間に満遍なく且つ速やかに行き渡らせることができる。また、注入後は、常温雰囲気下で防食剤の流動性が低下するので、素線の隙間及び芯線と電線接続部との隙間に防食剤を留めておくことができる。
【先行技術文献】
【特許文献】
【０００５】
【特許文献１】特開２００７−３０５３５６号公報
【発明の概要】
【発明が解決しようとする課題】
【０００６】
防食剤を注入する工程では、防食剤の流動性が高いので、注入した防食剤の一部が連結部を通って端子接続部内に流入することが懸念される。端子接続部の内部には、前方から挿入された相手側端子との接触部が配置されており、この接触部に防食剤が付着すると、相手側端子との間で接触不良を来す虞がある。
【０００７】
本発明は上記のような事情に基づいて完成されたものであって、電線接続部に注入した液剤が端子接続部内に侵入するのを防止することを目的とする。
【課題を解決するための手段】
【０００８】
上記の目的を達成するための手段として、請求項１の発明は、前方から相手側端子が挿入される角筒状の端子接続部と、オープンバレル状をなす電線接続部と、基板部の両側縁から一対の側板部を立ち上げた形態であって、前記端子接続部の後端部と前記電線接続部の前端部とに連なる連結部とを備え、前記電線接続部には電線の芯線が接続され、前記電線接続部と前記芯線に液剤が注入されるようになっている雌形の端子金具において、前記端子接続部と前記連結部のうち少なくとも一方から延出した延出部を曲げ加工することにより前記連結部内に収容されるように形成され、外周縁を前記基板部と前記側板部の内面に当接させることで前記液剤が前記電線接続部側から前記端子接続部側へ侵入するのを規制する規制壁部を有しているところに特徴を有する。
【０００９】
請求項２の発明は、請求項１に記載のものにおいて、前記規制壁部が、前記側板部に対して略直角な板状をなしているところに特徴を有する。
【００１０】
請求項３の発明は、請求項１または請求項２に記載のものにおいて、前記端子接続部は、前記基板部に連なる底面壁と、前記底面壁の側縁から立ち上がるとともに前記側板部に連なる一対の側面壁と、前記側面壁の立ち上がり端縁から前記底面壁と略平行に延出した上面壁とを備えて構成されており、前記規制壁部は、前記上面壁の後端縁から延出した前記延出部を、前記後端縁において前記基板部側へ曲げ加工して形成されているところに特徴を有する。
【００１１】
請求項４の発明は、請求項１又は請求項２に記載のものにおいて、前記延出部は、前記側板部の立ち上がり端縁に連なる第１板部と、前記第１板部から延出した形態の第２板部とを備え、前記立ち上がり端縁において曲げ加工されているとともに、前記第１板部と前記第２板部との境界において曲げ加工されており、前記第１板部によって、前記連結部の内面に重なった形態の補強部が形成され、前記第２板部によって前記規制壁部が形成されているところに特徴を有する。
【００１２】
請求項５の発明は、請求項１ないし請求項４のいずれかに記載のものにおいて、前記規制壁部が、前記一対の側板部の間に圧入されているところに特徴を有する。
【発明の効果】
【００１３】
＜請求項１の発明＞
電線と電線接続部に注入した液剤の一部が、端子接続部側へ流出しても、その流出は規制壁部において阻止されるので、液剤が端子接続部内に侵入する虞はない。
【００１４】
＜請求項２の発明＞
規制壁部が側板部に対して略直角な板状をなしているので、側板部が基板部側へ倒れるような変形を来すのを防止できる。
【００１５】
＜請求項３の発明＞
上面壁の後端縁は、電線接続部から端子接続部に向かう防食剤の流動方向と略直角であるから、この後端縁を折り目として延出部を１回だけ曲げ加工すれば、防食剤の流動方向と交差する規制壁部を形成することができる。
【００１６】
＜請求項４の発明＞
規制壁部を形成するために延出した延出部は、連結部を補強するための補強部としての機能を兼ね備えているので、延出部とは別に補強部を形成する場合に比べると、端子金具の形状の簡素化を図ることができる。
【００１７】
＜請求項５の発明＞
規制壁部は、一対の側板部の間に圧入されているので、規制壁部が連結部に対して相対移動するのを防止することができる。
【図面の簡単な説明】
【００１８】
【図１】実施形態１の端子金具において電線が接続されていない状態をあらわす平面図
【図２】図１のＡ−Ａ線断面図
【図３】電線を接続した状態をあらわす一部切欠側面図
【図４】端子金具の展開図
【図５】実施形態２の端子金具において電線が接続されていない状態をあらわす平面図
【図６】図１のＢ−Ｂ線断面図
【図７】電線を接続した状態をあわらす一部切欠側面図
【図８】端子金具の展開図
【発明を実施するための形態】
【００１９】
＜実施形態１＞
以下、本発明を具体化した実施形態１を図１乃至図４を参照して説明する。本実施形態の端子金具Ｔａは、銅又は銅合金からなり、図４に示すように所定の形状に打ち抜いた金属板材Ｐａに曲げ加工等を施すことによって所定の形状に成形した単一部品である。端子金具Ｔａは、端子接続部１０と電線接続部１１と連結部１２とを有しており、全体として前後方向に細長い雌形の端子である。
【００２０】
端子接続部１０は、角筒状をなす周知の形態のものであり、前後方向に長い底面壁１３と、底面壁１３の左右両側縁から略直角に立ち上がる一対の側面壁１４と、右側の側面壁１４の立ち上がり端縁（上端縁）から左側の側面壁１４側に向かって底面壁１３と平行に延出した形態の内側上面壁１５と、左側の側面壁１４の立ち上がり端縁（上端縁）から右側の側面壁１４側に向かって底面壁１３と平行に延出した形態の外側上面壁１６とによって角筒状に成形されている。
【００２１】
端子接続部１０の内部には、底面壁１３の前端縁から後方へ折り返された弾性接触片１７が設けられている。この弾性接触片１７の後端は端子接続部１０の後端の近く（即ち、連結部１２の前端の近く）に位置している。端子接続部１０には、前方から雄形の相手側端子（図示省略）が挿入されるようになっている。端子接続部１０に挿入された相手側端子は、弾性接触片１７と内側上面壁１５との間で弾性的に上下に挟み付けられ、もって、相手側端子と端子金具Ｔａとが導通可能に接続されるようになっている。
【００２２】
電線接続部１１は、オープンバレル状をなす周知の形態のものであり、その前端側領域はワイヤバレル部１８となっており、後端側領域はインシュレーションバレル部１９となっている。ワイヤバレル部１８は、板状の基底部２０と、基底部２０の左右両側縁からいつ対のカシメ片２１を立ち上げた形態であり、インシュレーションバレル部１９は、ワイヤバレル部１８と共有する基底部２０の左右両側縁から、ワイヤバレル部１８のカシメ片２１とは独立した一対のカシメ片２１を立ち上げた形態である。
【００２３】
電線２２は、端子金具Ｔａとは異なる金属、即ちアルミニウム又はアルミニウム合金からなる複数本の素線を撚り合わせた芯線２３を、絶縁被覆２４で包囲した周知の形態のものである。電線２２の前端部は、絶縁被覆２４が除去されて芯線２３が露出された状態となっている。
【００２４】
かかる電線２２の前端部は、電線接続部１１に圧着により接続されている。圧着に際しては、基底部２０に電線２２の前端部を載置し、ワイヤバレル部１８のカシメ片２１を芯線２３に巻き付けるようにしてカシメ付けると同時に、インシュレーションバレル部１９のカシメ片２１を絶縁被覆２４で覆われている部分に巻き付けるようにしてカシメ付ける。このようにして圧着されることにより、芯線２３と電線接続部１１とが導通可能に固着されるとともに、絶縁被覆２４が覆われている部分が電線接続部１１に移動規制された状態で固着される。
【００２５】
この電線接続部１１と電線２２との接続部分においては、芯線２３と電線接続部１１とが異種金属であるため、芯線２３とワイヤバレル部１８との接触部分に水がかかると、その接触部分に電食が生じる虞がある。そのため、電食防止の対策として、電線接続部１１と芯線２３との接触部分には防食剤（本発明の構成要件である液剤）が注入される。防食剤（図示省略）は、常温よりも高い温度にすると粘度が低く、常温では粘度が高くなる性質を有している。注入作業の際には、予め防食剤を暖めて流動性を高めておく。これにより、防食剤を、素線の隙間及び芯線２３と電線接続部１１との隙間に満遍なく且つ速やかに行き渡らせることができる。また、注入後は、防食剤の温度が常温まで下がるまで養生すれば、防食剤は、流動性が低下するので、素線の隙間及び芯線２３と電線接続部１１との隙間に留まる。
【００２６】
連結部１２は、前後方向に細長い基板部２５の両側縁から、前後方向に細長い一対の側板部２６を立ち上げた形態であって、連結部１２内には、上面側及び前後両端面側に開放された空間が構成され、全体として箱状をなしている。連結部１２は、端子接続部１０の後端部と電線接続部１１の前端部とに連なっている。即ち、基板部２５の前端は底面壁１３の後端に対して面一状に連なっており、基板部２５の後端は基底部２０の前端に対して面一状に連なっている。また、側板部２６の前端は側面壁１４の後端に対して面一状に連なっており、側板部２６の後端はワイヤバレル部１８のカシメ片２１の前端に対して面一状に連なっている。基板部２５からの側板の立ち上がり寸法（側板部２６の高さ寸法）は、側面壁１４よりも低い。また、側板部２６の立ち上がり端縁（上端縁）は、その前端において最も高く、後方に向かって次第に低くなるように傾斜している。
【００２７】
本実施形態の端子金具Ｔａでは、電線接続部１１と芯線２３との接触部分に注入した防食剤が連結部１２を伝って端子接続部１０内に侵入するのを防止する手段として、規制壁部２７が形成されている。規制壁部２７は、端子接続部１０の内側上面壁１５の後端縁から延出した延出部２８（図４を参照）に曲げ加工を施すことにより、端子金具Ｔａと一体に形成されたものである。
【００２８】
延出部２８は、その延出方向（図４に示す展開状態においては後方）と平行な軸線（図示省略）に関して左右対称な形状であり、展開状態では内側上面壁１５に対して面一状に連なる方形の幅狭部２８ａと、幅狭部２８ａの延出端（展開状態においては後端）から幅狭部２８ａよりも幅広の方形に延出した壁部本体２８ｂとから構成されている。壁部本体２８ｂの幅寸法は、連結部１２内の空間の幅寸法、即ち側板部２６の内面間の距離よりも僅かに大きい寸法に設定されている。
【００２９】
かかる延出部２８は、内側上面壁１５の後端縁を折り目として内側上面壁１５に対し下方へ略直角に曲げ加工され、この曲げ加工により、規制壁部２７が形成されている。規制壁部２７は、その壁部本体２８ｂの全体が連結部１２内の空間における前端部に収容されるとともに、壁部本体２８ｂの外周縁が連結部１２の内面に当接した形態となっている。即ち、壁部本体２８ｂの下端縁が基板部２５の上面に当接するとともに、壁部本体２８ｂの左右両側縁が側板部２６の内面に当接する。このとき、壁部本体２８ｂ（規制壁部２７）は、基板部２５及び両側板部２６に対して直角をなしている。また、規制壁部２７には、上下方向において壁部本体２８ｂの上端部から幅狭部２８ａの下端部に亘ってスリット状に貫通した形態の切欠部２８ｃが形成されている。
【００３０】
壁部本体２８ｂは側板部２６の間隔よりも僅かに幅広なので、壁部本体２８ｂは一対の側板部２６の間に圧入される。このようにして壁部本体２８ｂ（規制壁部２７）が連結部１２内に収容された状態では、連結部１２と端子接続部１０との間が壁部本体２８ｂによって仕切られるので、連結部１２と端子接続部１０との間における液体の流動が規制される。
【００３１】
これにより、電線２２と電線接続部１１との接触部分に注入した防食剤の一部が、前方（端子接続部１０側）に向かって流出し、連結部１２内に流入しても、その防食剤の端子接続部１０側への流動し、規制壁部２７に堰き止められることによって阻止される。このように本実施形態によれば、電線接続部１１と芯線２３との接触部分に注入した防食剤が端子接続部１０内に侵入するのを防止することができる。
【００３２】
また、規制壁部２７（壁部本体２８ｂ）は、一対の側板部２６に対して直角に当接した状態で、両側板部２６の間に介在する（挟まれた）状態となっている。したがって、側板部２６に対し内側へ倒す方向（つまり、両側板部２６の間隔を狭める方向）の外力が作用しても、壁部本体２８ｂは変形することはない。
【００３３】
また、端子接続部１０と延出部２８との境界である内側上面壁１５の後端縁は、電線接続部１１から端子接続部１０に向かう防食剤の流動方向（前後方向）と略直角であるから、この後端縁を折り目として延出部２８を１回だけ曲げ加工すれば、防食剤の流動方向と交差する規制壁部２７を形成することができる。曲げ加工が１回だけで済むので、加工工程が少なくて済む。
【００３４】
また、規制壁部２７（壁部本体２８ｂ）は、一対の側板部２６の間に圧入されているので、規制壁部２７が連結部１２に対して前後方向や上下方向へ相対移動するのを防止することができる。これにより、防食剤の端子接続部１０への侵入を確実に防止することができる。
【００３５】
＜実施形態２＞
次に、本発明を具体化した実施形態２を図５乃至図８を参照して説明する。本実施形態２の端子金具Ｔｂは、延出部３１と規制壁部３８を上記実施形態１とは異なる構成としたものである。その他の構成については上記実施形態１と同じであるため、同じ構成については、同一符号を付し、構造、作用及び効果の説明は省略する。
【００３６】
連結部１２を構成している一対の側板部２６のうち左側の側板部２６には、その立ち上がり端縁部（上端縁部）の一部が上方へ突出した形態の突出縁部３０が形成されている。この突出縁部３０の上端縁も、側板部２６の立ち上がり端縁を構成するが、側板部２６全体の立ち上がり端縁のうち突出縁部３０の立ち上がり端縁３０Ｅは、端子金具Ｔｂの長さ方向（前後方向）と平行をなしている。また、突出縁部３０は、側板部２６の前端に近い位置に配置されている。そして、この突出縁部３０の立ち上がり端縁からは、略Ｌ字形に屈曲した形態の延出部３１が延出されている。
【００３７】
延出部３１は、図８に示す展開状態の金属板材Ｐｂにおいて突出縁部３０の立ち上がり端縁３０Ｅに連なる方形の第１板部３２と、第１板部３２から延出した形態の方形の第２板部３３とから構成されている。第１板部３２は、展開状態において突出縁部３０から幅方向外方（左方）へ延出した形態であり、第１板部３２の延出方向の寸法（端子金具Ｔｂを基準とした場合では幅方向の寸法）は、延出方向と直角な方向の寸法（端子金具Ｔｂを基準とした場合では前後方向の寸法）よりも大きく、その寸法比は約２：１である。また、第１板部３２の延出方向と直角な方向の寸法は、突出縁部３０と同じ寸法である。
【００３８】
第１板部３２のうち突出端部に連なるほぼ半分の方形領域は、側板用板部３４となっており、第１板部３２のうち側板用板部３４以外の方形領域（側板用板部３４を挟んで突出縁部３０と反対側の領域）は、基板用板部３５となっている。側板用板部３４と基板用板部３５との境界線３６は、端子金具Ｔｂの長さ方向（前後方向）と平行である。
【００３９】
第２板部３３は、第１板部３２の基板用板部３５の後縁から面一状に後方（展開状態において外側上面壁１６とは反対側）へ延出した形態である。展開状態において、第２板部３３の左側縁は、基板用板部３５の左側縁（第１板部３２の延出端縁）に対して面一状に連なっており、双方の左端縁は端子金具Ｔｂの長さ方向（前後方向）と平行である。また、第２板部３３の右側縁も端子金具Ｔｂの長さ方向（前後方向）と平行である。展開状態において、端子金具Ｔｂの幅方向における第２板部３３の寸法は、連結部１２内の空間の幅寸法（一対の側板部２６間の距離）よりも小さく、その寸法差は、第１板部３２の側板用板部３４の板厚とほぼ同じ寸法である。
【００４０】
かかる延出部３１は、３カ所において曲げ加工が施され、補強部３７と規制壁部３８が形成されている。曲げ加工は以下のようにして行われている。まず、突出縁部３０と第１板部３２との境界（突出縁部３０の立ち上がり端縁３０Ｅ）においては反転するように曲げ加工され、第１板部３２のうち側板用板部３４が、側板部２６の内面に対し密着した状態（面当たりした状態）又は僅かな隙間を空けて対向した状態となっている。これにより、左側の側板部２６が側板用板部３４によって補強され、変形し難くなっている。
【００４１】
また、第１板部３２は、その側板用板部３４と基板用板部３５との境界３６において略直角に曲げ加工され、基板用板部３５が基板部２５の上面（内面）に密着した状態（面当たりした状態）又は僅かな隙間を空けて対向した状態となっている。これにより、基板部２５が基板用板部３５によって補強され、変形し難くなっている。したがって、側板用板部３４と基板用板部３５は、連結部１２を補強するための補強部３７となる。
【００４２】
さらに、第１板部３２の基板用板部３５と第２板部３３との境界３９においても、略直角に曲げ加工されている。これにより、第２板部３３の右側の上下方向の側縁が、右側の側板部２６の内面に当接した状態となる。また、第２板部３３の左側の上下方向の側縁が、側板用板部３４の左側の側縁に対して僅かな隙間を空けて並ぶ状態、又は双方の側縁同士が当接した状態となる。これにより、第２板部３３は、基板部２５及び左右両側板部２６に対して略直角な姿勢で、連結部１２内の空間に収容されて、連結部１２内の空間を前後に区画する形態となるので、規制壁部３８として機能する。
【００４３】
本実施形態２では、延出部３１が、側板部２６の突出縁部３０の立ち上がり端縁３０Ｅに連なる第１板部３２と、第１板部３２から延出した形態の第２板部３３とを備え、立ち上がり端縁３０Ｅにおいて曲げ加工されているとともに、第１板部３２と第２板部３３との境界３９において曲げ加工されており、第１板部３２によって、連結部１２の内面に重なった形態の補強部３７が形成され、第２板部３３によって規制壁部３８が形成されている。この構成によれば、規制壁部３８を形成するために延出した延出部３１は、連結部１２を補強するための補強部３７としての機能を兼ね備えているので、延出部３１とは別に専用の補強部を形成する場合に比べると、端子金具Ｔｂの形状の簡素化を図ることができる。
【００４４】
＜他の実施形態＞
本発明は上記記述及び図面によって説明した実施形態に限定されるものではなく、例えば次のような実施態様も本発明の技術的範囲に含まれる。
（１）上記実施形態１及び２では、端子金具と電線の芯線が異種の金属である場合（即ち、両者の接触部分に電食が発生し得る場合）について説明したが、本発明は、端子金具と芯線が同じ種類の金属である場合にも適用することができる。
（２）上記実施形態１及び２では、電線接続部と芯線に注入される液剤が防食剤である場合について説明したが、本発明は、液剤が防食剤以外のものである場合にも適用することができる。
（３）上記実施形態１及び２では、規制壁部を端子接続部と連結部のうちいずれか一方のみに形成したが、規制壁部は、端子接続部と連結部の両方に形成してもよい。この場合、端子接続部に形成した規制壁部と連結部に形成した規制壁部が、互いに独立したものであってもよく、端子接続部に形成したものと連結部に形成したものを合体させることによって１つの規制壁部を構成してもよい。
（４）上記実施形態１及び２では、規制壁部を側板部に対して略直角な板状としたが、規制壁部は、側板部に対して斜めをなす板状部であってもよい。
（５）上記実施形態１及び２では、規制壁部を基板部に対して略直角な板状としたが、規制壁部は、基板部に対して斜めをなす板状部であってもよい。
（６）上記実施形態１では、一対の上面壁のうち内側の上面壁から規制壁部を延出させたが、規制壁部は上側の上面壁から延出する形態としてもよい。
（７）上記実施形態２では、補強部が一方の側板部と基板部に重なる形態としたが、補強部は一方の側板部のみに重なる形態としてもよい。
（８）上記実施形態１及び２において、連結部にその内面側を突出させた形態の凸部を形成し、その凸部に規制壁部を係止させることにより、規制壁部が連結部に対して相対変位するのを規制してもよい。
【符号の説明】
【００４５】
Ｔａ…端子金具
１０…端子接続部
１１…電線接続部
１２…連結部
１３…底面壁
１４…側面壁
１５…内側上面壁
１６…外側上面壁
２２…電線
２３…芯線
２５…基板部
２６…側板部
２７…規制壁部
２８…延出部
Ｔｂ…端子金具
３１…延出部
３２…第１板部
３３…第２板部
３７…補強部
３８…規制壁部
【図１】
2011049033.tif 000003
【図２】
2011049033.tif 000004
【図３】
2011049033.tif 000005
【図４】
2011049033.tif 000006
【図５】
2011049033.tif 000007
【図６】
2011049033.tif 000008
【図７】
2011049033.tif 000009
【図８】
2011049033.tif 000010